(57)【要約】【課題】  二次元画像読取装置をスタンプカードの代わりにすることができ、また、スタンプによってインクを使用することなく印影を付すことができるようにする。【解決手段】  表示部３の表示画面に受光素子を二次元的に配列して画像入力部６を構成し、表示画面にスタンプカードを当ててその画像を記憶部９に記憶させる。記憶部９に記憶したスタンプカードを表示画面に表示した状態で当該表示画面にスタンプの押印部を当てる。押印部は印影の鏡文字通りに形成された透光部を通って内部の発光ダイオードの光が透過するので、印影を読み取らせることができ、その印影はスタンプカードの押印欄に押された状態で記憶部に記憶される。【選択図】  図１
2005056181.tif 000002
【特許請求の範囲】
【請求項１】
表示手段と、
この表示手段の表示画面に受光素子を二次元的に配列してなり、前記表示画面に当てられた画像を光学的に読み取る画像入力手段と、
この画像入力手段が読み取った画像を記憶する記憶手段と、
この記憶手段に記憶された画像を前記表示手段の表示画面に表示するための表示制御手段とを備え、
前記表示画面に用紙を当てて前記記憶装置に当該用紙を画像として記憶すると共に、その用紙の画像を前記表示画面に表示した状態で当該表示画面にスタンプを当てることにより、前記記憶装置にスタンプの印影を画像として当該用紙の画像に関連付けて記憶することを特徴とする二次元画像読取装置。
【請求項２】
前記用紙はスタンプカードであることを特徴とする請求項１記載の二次元画像読取装置。
【請求項３】
前記用紙は荷物の配送伝票であることを特徴とする請求項１記載の二次元画像読取装置。
【請求項４】
表示手段と、
この表示手段の表示画面に受光素子を二次元的に配列してなり、前記表示画面に当てられた画像を光学的に読み取る画像入力手段と、
この画像入力手段が読み取った画像を記憶する記憶手段と、
この記憶手段に記憶された画像を前記表示手段の表示画面に表示するための表示制御手段と、
前記表示画面にスタンプカードを当てて前記記憶装置に当該スタンプカードを画像として記憶すると共に、そのスタンプカードの画像を前記表示画面に表示した状態で当該表示画面にスタンプを当てることにより、前記記憶装置にスタンプの印影を画像として当該スタンプカードの画像に関連付けて記憶することを特徴とする二次元画像読取装置。
【請求項５】
前記請求項１ないし４のいずれかに記載の二次元画像読取装置に記憶させるためのスタンプであって、前記受光素子が設けられた表示画面に当てる押印面において、印影となる部分とその他の部分とで透光性を異ならせたスタンプ主部と、このスタンプ主部の前記押印面を通して外部に投光するための光源とを具備してなるスタンプ。
【発明の詳細な説明】
【技術分野】
【０００１】
本発明は表示画面を二次元画像の入力手段としても利用することができるようにした二次元画像読取装置に係り、特に、予め読み取ったスタンプカードや荷物の配送伝票などの用紙の画像、或は作成した文書にスタンプを押すことができるようにした二次元画像読取装置、そのために使用するスタンプに関するものである。
【背景技術】
【０００２】
小売店が顧客に特典を提供する一形態にスタンプカードがある。これは、顧客にスタンプカードを渡し、例えば或る一定金額の買い物をする都度、スタンプを１個押し、スタンプの押印個数が或る程度まとまったところで、その押印個数に応じた特典を顧客に提供するというものである。
また、荷物配送業者においては、荷物に貼られた配送伝票に受け取り先からスタンプを押して貰い、配達証明とするシステムを採っている。
【０００３】
このスタンプカードや伝票に押すためのスタンプとして、特許文献１に記載されたスタンプを用いることができる。このスタンプは、複数の印影を記憶した記憶部および時計部を有した制御手段、この制御手段から出力された印影および日付け、時刻を印刷する印刷手段を有し、いずれかの印影を選択すると、その印影が日付け、時刻と共に対象物にインクジェット方式によって印刷される構成である。
【特許文献１】特開平１０−２０２９８９号公報
【発明の開示】
【発明が解決しようとする課題】
【０００４】
スタンプカードは薬屋、本屋など様々な店で発行している。このため、財布がスタンプカードで一杯になってしまう。これを嫌ってスタンプカードを机の引き出しなどに保管をしておくと、買い物に出かける際、スタンプカードを持ってゆくことを忘れてしまってスタンプを押してもらえなくなるという不具合を生ずる。
また、荷物配送業者においては、配達伝票を一定期間保管する必要があるが、一日の荷扱い量が多い業者ではその保管に広い場所が必要で、配送伝票自体雨に濡れたりすると、ぼろぼろになって保管し難い状態になる。
【０００５】
また、小売店でスタンプカードに押すスタンプや家庭で荷物を受け取るときに押すスタンプは通常はインクや朱肉を使用するため、時にはインクが手や衣服について汚れてしまうという問題を生ずる。特許文献１のスタンプもインクを用いるため、この問題を根本的に解決することはできない。
本発明は上記の事情に鑑みてなされたもので、その第１の目的は、スタンプカードや配送伝票などの用紙の代わりとなる得る二次元画像読取装置を提供することにあり、第２の目的は、インクを使用することなく印影を付すことができるスタンプを提供することにある。
【課題を解決するための手段】
【０００６】
本発明の二次元画像読取装置は、表示手段と、この表示手段の表示画面に受光素子を二次元的に配列してなり、前記表示画面に当てられた画像を光学的に読み取る画像入力手段と、この画像入力手段が読み取った画像を記憶する記憶手段と、この記憶手段に記憶された画像を前記表示手段の表示画面に表示するための表示制御手段とを備え、
前記表示画面に用紙を当てて前記記憶装置に当該用紙を画像として記憶すると共に、その用紙の画像を前記表示画面に表示した状態で当該表示画面にスタンプを当てることにより、前記記憶装置にスタンプの印影を画像として当該用紙の画像に関連付けて記憶することを特徴とするものである。この場合、用紙としては、スタンプカードであっても良く、荷物の配送伝票であっても良い。
【０００７】
この二次元画像読取装置では、スタンプカードを記憶しておくことによって、多数のスタンプカードを持ち歩く煩わしさを解消することができる。また、荷物の配送伝票を記憶し、その記憶した配送伝票に荷物の受取人のスタンプを押して貰うようにすることによって、多数の配送伝票を場所をとらず、簡易に保管できる。
また、本発明の二次元画像読取装置は、表示手段と、この表示手段の表示画面またはこの表示手段とは別に設けられたサブ表示手段の表示画面に受光素子を二次元的に配列してなり、その表示画面に当てられたスタンプの印影を画像として光学的に読み取る画像入力手段と、この画像入力手段が読み取った前記スタンプの印影の画像を記憶する記憶手段と、この記憶手段に記憶された前記スタンプの印影の画像を前記表示手段の表示画面の定められた位置に表示する表示制御手段とを具備してなるものである。
【０００８】
この二次元画像読取装置では、例えば同読取装置で文章作成可能にし、そして作成した文章に印を押した状態でプリントアウトしたりすることができる。
本発明のスタンプは、受光素子が設けられた表示画面に当てる押印面において、印影となる部分とその他の部分とで透光性を異ならせたスタンプ主部と、このスタンプ主部の前記押印面を通して外部に投光するための光源とを具備してなる。
このスタンプによれば、インキや朱肉を用いることなく、押印することができる。
【発明を実施するための最良の形態】
【０００９】
（第１の実施例）
以下、本発明の第１の実施例を図１ないし図７に基づいて説明する。
図２は二次元画像読取装置としてのスタンプカード用携帯端末１を示すもので、この携帯端末１のケース２の正面部には表示部３が設けられている。表示部３のバックライト付きの表示画面は、フルカラー表示が可能な液晶ディスプレイからなり、図３に示すように、その各液晶画素４に受光素子５が埋め込まれている。このようにして表示画面に二次元的に配列された受光素子５は、表示画面に当てられた対象物を画像として読み取り可能で、画像入力部６（図１参照）を構成する。この画像の読み取りが可能な表示部３は、例えば「インプットディスプレイ」と称される液晶表示装置から構成することができる。
【００１０】
この携帯端末１の電気的構成は図１に示されており、同図に示すように、携帯端末１は、前記画像入力部６付きの表示部３の他に、制御回路７、操作部８、記憶部９を備えている。また、携帯端末１は、電源としての電池（図示せず）を備え、図２に示す電源スイッチ１０を操作することによって表示器３や制御回路７などに電源が投入されるようになっている。
【００１１】
制御回路７は携帯端末１の全体を制御するもので、マイクロコンピュータおよびその周辺回路を主体として構成されている。画像入力部６はＡ／Ｄ変換器１１および２値化回路１２を介して制御回路７に接続されており、画像入力部６の受光素子５の受光情報（画像情報）は走査線信号として出力され、Ａ／Ｄ変換器１１でデジタル信号に変換され、２値化回路１２によって所定のレベルで２値化される。この２値化された走査線信号は、制御回路７により画像信号として記憶部９に記憶される。そして、制御回路７は表示制御手段として機能し、記憶部９に記憶された画像情報を読み出して表示部３の表示画面に画像を表示する。
【００１２】
操作部８は、読出し画像選択手段としてのページ送り用スイッチ１３、同じく読出し画像選択手段としてのページ戻し用スイッチ１４、画像読取り開始手段としての画像読取用スイッチ１５などのスイッチを備えている。ページ送り用および戻し用のスイッチ１３および４は、記憶部９に記憶された画像情報を選択的に読み出して表示部３の表示画面に表示させるためのものであるが、両スイッチ１３，１４は読み出し順が互いに逆となる関係をもって読み出す。
【００１３】
このような携帯端末１は小売店で配布するスタンプカードを画像として記憶し、スタンプカードの画像を表示部３の表示画面に表示する。そして、表示画面にスタンプカードを表示した状態で、スタンプを表示画面に当てると、画像入力部６がそのスタンプの印影を画像として読み取る。この表示画面に当てて印影を読み取らせるために使用されるスタンプ１６は図６および図７に示されている。
【００１４】
スタンプ１６は、図６に示すように、柱状の本体１７と、この本体１７の先端部に設けられた押印部１８と、本体１７内に設けられた光源としての発光ダイオード１９と、本体１７内に着脱可能に設けられた電源としての電池２０、発光ダイオード１９の点消灯用スイッチ２１などからなる。そして、図７に示すように、電池２０の正極と負極との間に、電流制限抵抗２２、発光ダイオード１９および点灯用スイッチ２１が直列に接続されている。
【００１５】
押印部１８は、透光性材料例えば透明或は半透明のプラスチック材料からなり、先端面に黒色の遮光膜２３が接着されている。そして、この遮光膜２３には印影の鏡文字を構成するパターンで切除された透光部２３ａが形成されている。
発光ダイオード１９は、押印部１８を本体１７内から照明する。発光ダイオード１９から発せられた光は、押印部１８から遮光膜２３の透光部２３ａを通って外部に放射される。従って、押印部１８を表示部３の表示画面に当てて発光ダイオード１９を点灯させると、画像入力部６が印影を画像として読み取る。なお、本体１７の他端部には電池２０を出し入れするための蓋２４が設けられている。
【００１６】
次に上記構成の携帯端末１の使用法を説明する。
買い物に出掛ける場合には、携帯端末１を持って行くことを前提とする。小売店、例えば○○薬局で買い物をし、その際に携帯端末１を利用したスタンプカードの使用を勧められ、承諾したとする。そこで、携帯端末１の電源を投入し、図４に示すような○○薬局のスタンプカード２５を表示部３の表示画面に当て、その状態で画像読取用スイッチ１５を操作する。
【００１７】
すると、表示部３の表示画面のバックライトの光がスタンプカード２５で反射し、その反射光を受光素子５が受光する。これにより用紙としてのスタンプカード２５が画像として読み込まれて記憶部９に記憶される。次に、この記憶部９に記憶されたスタンプカード２５の画像を表示部３の表示画面に表示すべく、ページ送り用スイッチ１３を操作する。記憶部９に記憶されたスタンプカードが１枚のときは、直ぐに○○薬局のスタンプカード２５が表示される。複数枚のスタンプカードが記憶されている場合には、ページ送り用スイッチ１３或はページ戻し用スイッチ１４を操作して○○薬局のスタンプカード２５を表示させる。
【００１８】
表示画面にスタンプカード２５を表示した状態で、スタンプ１６の押印部１８を表示画面上のスタンプカード２５の押印欄の第１枡目に当て、スタンプ１６のスイッチ２１を操作して発光ダイオード１９を点灯させる。この状態で、携帯端末１の画像読取用スイッチ１５を操作して画像読み取りを行う。すると、画像入力部６は表示画面上でスタンプカード２５の押印欄の第１升目相当位置にスタンプ１６の印影のある画像を取り込み、その画像は記憶部９に記憶される。
【００１９】
記憶部９はスタンプカードを記憶するスタンプカード記憶領域と、印影を記憶する印影記憶領域とを有し、印影の画像をスタンプカードの画像に関連関連付けて記憶する。そして、一つのスタンプカードが選択されると、そのスタンプカードの画像と印影の画像とが読み出されて表示部３の表示画面に表示されるようになっている。
さて、次に○○薬局で買い物をしてスタンプカードにスタンプを押してもらう場合、携帯端末１の表示部３の表示画面に○○薬局のスタンプカード２５の画像を上記したと同様にして表示する。そして、表示画面上のスタンプカード２５の押印欄の第２桝目にスタンプ１６の押印部１８を当て、スタンプ１６のスイッチ２１を操作して発光ダイオード１９を点灯させる。この状態で、携帯端末１の画像読取用スイッチ１５を操作して画像読み取りを行う。
【００２０】
すると、画像入力部６は表示画面上でスタンプカード２５の押印欄の第２升目相当位置にスタンプ１６の印影のある画像を取り込み、その画像は記憶部９に記憶される。これにより、記憶部９の印影記憶領域には、表示画面上でのスタンプカード２５の第１枡目相当位置に印影が押された画像と、第２桝目相当位置に印影が押された画像とが記憶されることとなる。従って、次にスタンプカード２５を表示画面に表示する操作を行うと、第１桝目および第２桝目に陰影を付されたスタンプカード２５が表示される。
【００２１】
このように本実施例によれば、携帯端末１に複数のスタンプカードを記憶することができるので、多数のスタンプカードを携帯しなければならないといった不具合をなくすことができると共に、スタンプカードを忘れてしまってスタンプを押してもらえなくなる都行った不具合を解消することができる。また、スタンプ１６もインクや朱肉を使用する必要がないので、手や衣服が汚れるといった問題の発生を根本的に解消することができる。
【００２２】
（第２の実施例）
図８ないし図１０は本発明の第２の実施例を示す。この実施例は荷物に貼り付けられている配送伝票（受取証）にスタンプを押してもらう場合に適用したものである。荷物の配達作業者は上記第１の実施例で説明したと同様の携帯端末１を携帯し、また、配達作業者および荷物の受取人は上記第１の実施例で説明したと同様のスタンプ１６をそれぞれ自身で保有しているものとする。以下の説明では第１の実施例に使用した符号をそのまま使用して説明する。
【００２３】
図８に示すように、配達する荷物２６には、用紙としての配送伝票２７が貼り付けられている。この配送伝票２７には、図９に示すように、荷物２６を特定するための伝票番号、受取人（届け先）住所、発送人（依頼主）住所が記載されていると共に、受取人と配達作業者のスタンプ欄が設けられている。
配達作業者は荷物を受取人に渡す前に、携帯端末１の表示部３を荷物２６の配送伝票２７に当てて画像入力部６に当該配送伝票２７の画像（記載事項）を読み取らせる。そして、配達作業者は読み込んだ配送伝票２７を図９に示すように表示部３に表示させ、配送作業者のスタンプ欄に自分のスタンプ１６を表示部３に当てて当該スタンプ１６の印影を画像入力部６に読み取らせる。
【００２４】
その後、荷物２６を受取人に渡し、受取人にスタンプを押して貰うために、記憶部９に記憶した配送伝票２７と配達作業者の印影とを表示部３に表示させる。そして、表示部３に表示されている配送伝票２７の受取人スタンプ欄に受取人のスタンプ１６を当てて貰い、当該スタンプ１６の印影を画像入力部６に読み取らせる。
このように本実施例によれば、図１０に示すように、多数の配送伝票を携帯端末１に配送作業者および受取人のスタンプを押した状態で記憶することができる。このため、配送伝票の保管に場所をとったり、配送伝票が雨に濡れて保管が難しくなったりする恐れがない。
【００２５】
（第３の実施例）
図１１および図１２は本発明の第３の実施例を示す。この実施例はパソコンに適用したもので、例えばパソコンでワープロソフトを使用して作成した文書に印影を付すことができるようにしたものである。
【００２６】
図１１は二次元画像読取装置としてのパソコン２８を示し、図１２はその電気的構成を示す。両図に示すように、パソコン２８は、ＣＰＵ、ＲＡＭ、ＲＯＭ、それらの周辺回路からなる制御回路２９および記憶手段としての記憶部３０などを収納した本体３１、表示装置３２、操作手段としての操作部３３からなる。
【００２７】
表示装置３２は、液晶ディスプレイからなるメイン表示器３４と、表示手段としての同じく液晶ディスプレイからなるサブ表示器３５とを備えている。サブ表示器３５は、通常は、スケジュール表示用に利用したり、メモ書き用として利用したりする。これら両表示器３４,３５のうち、サブ表示器３５は、液晶画素中に設けられて表示画面に二次元的に配列された受光素子からなる画像入力部（画像入力手段）３６兼用のもので、このサブ表示器３５の表示画面に前記第１の実施例と同一構成のスタンプ（図示せず）の押印部を当てると、その押印部に形成された文書作成者の印影を画像入力できるようになっている。そして、サブ表示器３５の画像入力部３６により読み込んだ印影は、メイン表示器３４の表示画面の所定個所、例えばワープロソフトで文書を作成したとき、作成者の名前を記載する個所に表示されるようになっている。
【００２８】
操作部３３は、キーボード３７およびマウス３８からなり、印影の画像入力はキーボード３７の所定のキー（画像読取り開始手段）を操作するか、或はマウス（画像読取り開始手段）３８の操作によって行う。入力された印影の画像は記憶部３３に記憶され、キーボード３７の所定のキー（画像選択手段）を操作、或はマウス（画像選択手段）３８を操作すると、表示制御手段としての制御回路２９によってメイン表示器３４の表示画面の所定位置に表示される。
このように構成した本実施例によれば、パソコン２８で作成した文書に作成者のスタンプ（印鑑）の印影を表示でき、印影付き文書としてプリントアウトできると共に、印影付き文書として通信網を通じてデータ送信することができる。
【００２９】
なお、本発明は上記し且つ図面に示す実施例に限定されるものではなく、以下のような拡張或は変更が可能である。
スタンプ１６の押印部１８を構成する遮光膜２３は印影以外の部分を切除するようにしても良く、要は、押印部１８は印影部分とその他の部分とで透光性が異なっていれば良い。
読み込ませる用紙としてはスタンプカード、配達伝票に限られない。
上記第３の実施例において、印影は例えばマウス３８による操作によってメイン表示器３４の表示画面の所望の個所に移動させることができるように構成しても良い。
上記第３の実施例において、メイン表示器３４の液晶画素中に受光素子を設け、メイン表示器３４を画像入力部付きとして構成して印影をメイン表示器３４により読み取らせ且つスタンプを当てた位置に印影を表示するように構成しても良い。この場合、サブ表示器３５は省略しても良い。
【図面の簡単な説明】
【００３０】
【図１】本発明の第１の実施例における携帯端末の電気的構成を示すブロック図
【図２】携帯端末の正面図
【図３】液晶ディスプレイの表示画素を示す概略図
【図４】スタンプカードの一例を示す図
【図５】表示画面に表示されたスタンプカードに印影を付した図
【図６】スタンプの断面図
【図７】スタンプの電気回路図
【図８】本発明の第２の実施例を示す荷物の斜視図
【図９】配達伝票を表示した携帯端末の正面図
【図１０】スタンプを押した状態の配送伝票を表示した図９相当図
【図１１】本発明の第３の実施例を示すパソコンの正面図
【図１２】パソコンの電気的構成を示すブロック図
【符号の説明】
【００３１】
図面中、１は携帯端末（二次元画像読取装置）、３は表示部（表示手段）、５は受光素子、６は画像入力部、７は制御回路（表示制御手段）、１６はスタンプ、１９は発光ダイオード、２３は遮光膜、２５はスタンプカード（用紙）、２６は荷物、２７は配達伝票（用紙）、２８はパソコン（二次元画像読取装置）、３４はメイン表示部、３５はサブ表示部（表示手段）、３６は画像入力部である。
【図１】
2005056181.tif 000003
【図２】
2005056181.tif 000004
【図３】
2005056181.tif 000005
【図４】
2005056181.tif 000006
【図５】
2005056181.tif 000007
【図６】
2005056181.tif 000008
【図７】
2005056181.tif 000009
【図８】
2005056181.tif 000010
【図９】
2005056181.tif 000011
【図１０】
2005056181.tif 000012
【図１１】
2005056181.tif 000013
【図１２】
2005056181.tif 000014